(57)【特許請求の範囲】
【請求項１】
片持ち梁により屋根体を支持する組立車庫の梁の先端部と地面との間に着脱自在に設置され、下方の内側柱と上方の外側柱がスライドにより伸縮自在となるように構成されてなる補助柱において、
前記外側柱には前記内側柱がスライドする側の端部の小口面を四周に渡って覆う小口キャップが取付けられ、
前記外側柱の上端部には前記組立車庫の梁に対して係止固定するための係止金具と、該係止金具を下方に向かって付勢する上部金具とが設けられ、前記内側柱は前記外側柱内にスライドすることで前記上部金具による付勢に対抗して前記係止金具の係止状態を解除する係止解除部を備え、
前記外側柱には、前記内側柱が前記外側柱の一番奥までスライドした位置で、前記内側柱をロックするストッパ部が設けられることを特徴とする補助柱。
【請求項２】
前記外側柱のストッパ部は、前記内側柱が最も伸張した位置でも、前記内側柱をロックすることを特徴とする請求項１記載の補助柱。
【発明の詳細な説明】
【技術分野】
【０００１】
本発明は、片持ち梁により屋根体を支持する組立車庫の梁と地面との間に着脱自在に設置される補助柱に関し、特に下方の内側柱と上方の外側柱がスライドより伸縮自在となるように構成された補助柱に関する。
【背景技術】
【０００２】
従来から、地面に立設した支柱に梁を片持ち状に取付け、この梁に屋根体を固定してなる組立車庫があり、このような組立車庫では、強風時や降雪時等のように屋根体に荷重がかかる場合に、屋根体の破損を防ぐために補助柱が設けられる。補助柱は梁の先端部または屋根体の前枠と地面とにそれぞれ着脱自在に固定されて屋根体を支持する。このような補助柱としては例えば特許文献１に挙げるようなものがある。
【特許文献１】特開２００５−２８２１７９号公報
【発明の開示】
【発明が解決しようとする課題】
【０００３】
補助柱は、通常時には短くして収納することができるように、スライド操作によって伸縮自在となるように構成される。具体的には下方に内側柱を、上方には内側柱より一回り大きい外側柱を設けて、内側柱が外側柱の内外にスライド自在となるように構成する。従来の補助柱は、下端部を地面に設けられた補助柱固定部に固定し、上端部を梁に対して回転掛止により固定するようにしていた。このため、予め内側柱を外側柱の外側にスライドさせ伸張状態としてから、固定ないし取り外し作業を行うようにしていた。
【０００４】
しかし、上端部を回転掛止によらず固定する場合には、手の届かない上端部を取り外すため、内側柱のスライド動作に伴って上端部の固定状態を解除するような構造を採ることがある。この場合には補助柱を立てた状態でスライド動作を行う必要があって、そのスライド動作における充分な安全性を確保する必要がある。
【０００５】
本発明は、上記課題を解決すべくなされたものであり、スライドによる伸縮動作を安全に行うことのできる補助柱を提供することを目的とする。
【課題を解決するための手段】
【０００６】
上記課題を解決するため、本発明に係る補助柱は、片持ち梁により屋根体を支持する組立車庫の梁の先端部と地面との間に着脱自在に設置され、下方の内側柱と上方の外側柱がスライドにより伸縮自在となるように構成されてなる補助柱において、
前記外側柱には前記内側柱がスライドする側の端部の小口面を四周に渡って覆う小口キャップが取付けられ、
前記外側柱の上端部には前記組立車庫の梁に対して係止固定するための係止金具と、該係止金具を下方に向かって付勢する上部金具とが設けられ、前記内側柱は前記外側柱内にスライドすることで前記上部金具による付勢に対抗して前記係止金具の係止状態を解除する係止解除部を備え、
前記外側柱には、前記内側柱が前記外側柱の一番奥までスライドした位置で、前記内側柱をロックするストッパ部が設けられることを特徴として構成されている。
【０００７】
また、本発明に係る補助柱は、前記外側柱のストッパ部は、前記内側柱が最も伸張した位置でも、前記内側柱をロックすることを特徴として構成されている。
【発明の効果】
【０００９】
本発明に係る補助柱によれば、外側柱には内側柱がスライドする側の端部の小口面を四周に渡って覆う小口キャップが取付けられてなることにより、補助柱をスライドさせて伸縮させる際に、安全に作業を行うことができる。
【００１１】
さらに、本発明に係る補助柱によれば、外側柱の上端部には組立車庫の梁に対して係止固定するための係止金具が設けられ、内側柱は外側柱内にスライドすることで係止金具の係止状態を解除する係止解除部を備えてなることにより、補助柱の上端部の係止を解除するのにスライド動作を伴うことになり、その際に安全に作業を行うことができる。
【発明を実施するための最良の形態】
【００１２】
本発明の実施形態について、図面に沿って詳細に説明する。図１は本実施形態における補助柱を有する組立車庫の正面図であり、図２は側面図である。これら各図に示すように、本実施形態における補助柱を有する組立車庫は、地面に立設される支柱１に梁２を片持ち状に設け、この梁２により屋根体３を支持してなるもので、さらに梁２の先端部と地面との間には補助柱１０が着脱自在に設置されるものである。屋根体３の先端側辺には前枠３０が設けられ、屋根体３の支柱１側辺には後枠３１が設けられると共に、屋根体３の左右辺にはそれぞれ側枠３２、３２が設けられる。
【００１３】
支柱１や梁２はアルミの押出型材からなり、断面中空状に形成されている。梁２は支柱１との連結部分付近は略直線状に形成され、中間部から先端部にかけては円弧状に湾曲するように形成されている。屋根体３も同様の形状とされる。そして、梁２は支柱１に対して所定角度をなすように傾斜状に連結される。また、前枠３０や後枠３１及び側枠３２も同様にアルミの押出型材からなると共に、断面中空状に形成されている。
【００１４】
後枠３１は支柱１の上面に固定され、また前枠３０は梁２の先端部付近に固定される。また、梁２には前枠３０及び後枠３１と平行に母屋３３が複数固定され、その上部に板状の屋根材３５が設けられる。さらにその上方には、母屋３３と直交するように前枠３０から後枠３１に渡って垂木３４が複数設けられ、屋根材３５の左右辺にはそれぞれ側枠３２が設けられて、屋根体３を構成する。
【００１５】
図３には補助柱１０及びその近傍の正面図を、図４には補助柱１０及びその近傍の側面図を、それぞれ示している。補助柱１０は、上部に設けられる断面略方形状の外側柱１１と、下部に設けられ外側柱１１より一回り小さい断面略方形状の内側柱１２とからなり、内側柱１２は外側柱１１内にスライドすることによってその大部分を収納することができ、これによって補助柱１０を伸縮自在としている。
【００１６】
外側柱１１の下端部には、小口キャップ６０が設けられており、また内側柱１２の下端部には、内側柱小口キャップ６１が設けられている。小口キャップ６０は、外側柱１１下端部の小口面を四周に渡って覆うように形成された樹脂材により構成される。内側柱小口キャップ６１も同様に、内側柱１２下端部の小口面を四周に渡って覆うように形成された樹脂材により構成される。このように小口キャップ６０を設けていることにより、補助柱１０の伸縮操作を安全に行うことができる。また、内側柱小口キャップ６１を設けていることにより、補助柱１０下部の地面に対する取付操作を安全に行うことができる。
【００１７】
図３に示すように、外側柱１１にはストッパ操作部１６とロック操作部１７が設けられている。ストッパ操作部１６は押圧操作によりストッパ部１６ａを外側柱１１内に対し出没自在とすることができる。また、ロック操作部１７は、回転操作によりねじ部１７ａを外側柱１１内に対し出没自在とすることができる。
【００１８】
内側柱１２には、上下方向に溝部１２ａが設けられており、この溝部１２ａに沿うようにストッパ受け部材１８が２箇所に設けられる。ストッパ受け部材１８には、下部に受け孔１８ａが形成されており、内側柱１２が最も伸張した状態と収縮した状態においてそれぞれストッパ部１６ａが受け孔１８ａに係合できるように、２つのストッパ受け部材１８の上下方向位置が設定される。これによって、補助柱１０の使用状態である内側柱１２が最も伸張したときと、補助柱１０を収納する状態である内側柱１２が最も収縮したときにおいて、内側柱１２の位置をロックした状態とすることができる。
【００１９】
ロック操作部１７は、ストッパ部１６ａによって内側柱１２の位置をロックした状態において、回転操作によってねじ部１７ａをストッパ受け部材１８の上部に圧接させることができる。これによって内側柱１２と外側柱１１の間にがたつきが生じないように固定することができる。
【００２０】
梁２の先端部近傍には被係止部２０が設けられる。被係止部２０は、梁２を挟むように設けられる板状の梁取付部２１と、梁取付部２１間を懸架するように設けられる棒状部２２とから構成されている。補助柱１０は上端部が棒状部２２に係止されることによって、梁２に対する固定がなされる。補助柱１０上端部の固定については後で詳述する。
【００２１】
図３に示すように、補助柱１０の下端部には、地面に対する固定部となる下端固定部１５が設けられている。下端固定部１５は、補助柱１０の下端面に形成されたフック１５ａと、補助柱１０内にスライド自在に設けられ、フック１５ａを貫通する位置まで下方にスライドするスライド部１５ｂとからなっている。
【００２２】
一方、地面には補助柱取付部４０が形成されており、これは地面に埋め込まれるアンカー４１と、アンカー４１に固定される凹状の下端受部４２と、下端受部４２の側面間を渡すように設けられるフック受部４３とからなっている。図５には、補助柱１０の下端部を補助柱取付部４０に対する取付時の状態を示している。この図に示すように、補助柱１０の下端固定時には、下端固定部１５に形成されたスライド部１５ｂを補助柱１０内にスライドさせて、フック１５ａをフック受部４３に引っ掛ける。その状態で補助柱１０のスライド部１５ｂを下端までスライドさせることで、フック１５ａをフック受部４３から抜けないようにして、補助柱１０を固定することができる。
【００２３】
次に、補助柱１０上端部の固定について詳細に説明する。図３に示すように、補助柱１０の上端部には梁２の被係止部２０に係止される係止金具１３と、係止金具１３を付勢するための上部金具１４とが設けられている。図６には、係止金具１３と上部金具１４の正面図を示している。この図に示すように係止金具１３は、全体としては略コ字状に形成され、上部には鉤状のフック部１３ａを備えて、下部には水平な当接面１３ｂを備えている。
【００２４】
上部金具１４は、外側柱１１の内面に固定部１４ａにおいて固定されると共に、保持部１４ｃによってバネからなる弾性部材１４ｂを保持している。弾性部材１４ｂは、下端部が係止金具１３の当接面１３ｂの上面に当接した状態となっており、これによって係止金具１３を下方に向かって付勢しており、フック部１３ａの被係止部２０の棒状部２２に対する係止状態を維持するようにしている。
【００２５】
図３に示すように、係止金具１３のフック部１３ａは、被係止部２０の棒状部２２に対して梁２の先端部側から引っ掛けるようにして係止される。また、前述のように係止金具１３は弾性部材１４ｂにより下方に付勢されていることにより、その係止状態が維持される。
【００２６】
図７には、内側柱１２を外側柱１１内に収納して収縮させた状態の補助柱１０の正面図を示している。この図に示すように、内側柱１２を外側柱１１内に収納するようにスライドさせると、内側柱１２の上面は係止金具１３の当接面１３ｂの下面に当接し、弾性部材１４ｂの付勢に対抗してさらに内側柱１２を上方にスライドさせることで、係止金具１３を上方に移動させることができる。これによって係止金具１３のフック部１３ａも上方に移動し、被係止部２０の棒状部２２に対する係止状態が解除され、補助柱１０の上端部を梁２から取り外すことができるようになる。すなわち、内側柱１２の上面が係止解除部１９として機能する。
【００２７】
図８には、内側柱１２の平面図を示している。すなわち、図８は内側柱１２の上面を表している。内側柱１２は、前述のように一面に溝部１２ａを有し、それに沿ってストッパ受け部材１８が取付けられている。そして、内側柱１２の上面のうち、溝部１２ａを構成する部分が係止金具１３の当接面１３ｂを押圧する係止解除部１９である。
【００２８】
このように、補助柱１０を収縮させることによって係止金具１３の被係止部２０に対する係止状態を解除することができるので、補助柱１０上端部の梁２に対して回転動作をすることなく固定できるようにしつつ、取り外しも容易に行えるようにすることができる。
【００２９】
また、図７に示す補助柱１０が最も収縮した状態において、前述のように外側柱１１のストッパ部１６ａは、内側柱１２に設けられるストッパ受け部材１８の受け孔１８ａに対して挿入された状態となって、外側柱１１と内側柱１２をロックする。また、ロック操作部１７を回転させることによって、ねじ部１７ａをストッパ受け部材１８の上部に圧接させて、がたつきを抑えるように固定することができる。
【００３０】
次に、補助柱１０を収納状態とした際における支柱１に対する固定について説明する。この組立車庫では、収縮させて収納状態とした補助柱１０を支柱１に固定しておくことができる。図９には、支柱１の拡大側面図を示している。この図に示すように、支柱１には高さ方向２箇所にポケット状の補助柱保持部７０が設けられる。また、図７に示すように、外側柱１１には高さ方向２箇所に突出部７１が形成されていて、この突出部７１が支柱１の補助柱保持部７０に納められることで、補助柱１０を支柱に固定しておくことができる。
【００３１】
補助柱保持部７０は、上方に向かって開放状の開口部７０ａを備え、さらに開口部７０ａから下方に向かって切欠部７０ｂが形成されている。補助柱１０の突出部７１は、根元側が切欠部７０ｂに略適合する直径を有する断面円形状の細径部７１ａとして形成され、先端部が細径部７１ａよりも大きい径であって、補助柱保持部７０の開口部７０ａから内部に挿入可能な直径を有する円形係合部７１ｂとして形成されている。
【００３２】
図１０には、補助柱１０を支柱１に固定した状態の背面図を示している。この図に示すように、補助柱１０が収縮した状態において、２箇所の突出部７１の円形係合部７１ｂは、それぞれ支柱１の補助柱保持部７０に対して挿入され係合固定される。
【００３３】
本実施形態では補助柱保持部７０を一本の支柱１に対し上下２箇所設けて、収縮状態の補助柱１０を支柱１に対して平行となるように固定するようにしているが、突出部７１は断面円形状に形成されていることにより、２つの補助柱保持部７０を補助柱１０の２つの突出部７１間の距離に対応するように設けることができれば、その他の配置であってもよい。例えば、２本の支柱１のそれぞれ同じ高さに補助柱保持部７０を設け、支柱１を横向きにして突出部７１を補助柱保持部７０に挿入し係合固定することもできる。
【００３４】
次に、補助柱１０の梁２及び地面に対する取付けの手順について説明する。まず、補助柱１０を支柱１の補助柱保持部７０から取り外し、収縮した状態のまま下端部を地面に設けた補助柱取付部４０に対して取付ける。すなわち、補助柱１０の下端固定部１５のスライド部１５ｂを上方にスライドさせた状態で、フック１５ａを補助柱取付部４０のフック受部４３に引っ掛け、さらにスライド部１５ｂを元の位置にスライドさせて固定状態とする。
【００３５】
次に、補助柱１０のロック操作部１７を回転操作してねじ部１７ａによる圧接状態を緩め、さらにストッパ操作部１６を引いた状態で内側柱１２を外側柱１１に対してスライドさせ、補助柱を伸張させる。最も伸張した状態まで伸ばすと、ストッパ操作部１６のストッパ部１６ａが内側柱１２の上方に設けられたストッパ受け部材１８の受け孔１８に係合し、ロックされる。
【００３６】
補助柱１０を伸張させたら、係止金具１３のフック部１３ａを梁２の被係止部２０に設けられた棒状部２２に引っ掛けて、さらにロック操作部１７を回転操作して内側柱１２と外側柱１１ががたつかないように固定する。以上の手順により、補助柱１０を取付けることができる。
【００３７】
次に、補助柱１０の梁２及び地面からの取り外しの手順について説明する。まず、補助柱１０を地面に設けた補助柱取付部４０から取り外す。これは取付けの場合と逆にスライド部１５ｂを上方にスライドさせた状態で、補助柱取付部４０のフック受部４３からフック１５ａを取り外す。
【００３８】
続いて、ロック操作部１７を回転操作すると共に、ストッパ操作部１６を引いて内側柱１２を外側柱１１内に収納するようにスライドさせる。内側柱１２が外側柱１１の一番奥までスライドした位置で、ストッパ操作部１６のストッパ部１６ａが内側柱１２の下方に設けられたストッパ受け部材１８の受け孔１８に係合し、ロックされる。それと同時に内側柱１２の係止解除部１９によって、係止金具１３の被係止部２０に対する係止状態が解除されるので、その状態で係止金具１３を被係止部２０から取り外す。この際、外側柱１１の下端部には前述のように小口キャップ６０が設けられているので、安全にスライド動作を行うことができる。最後に補助柱１０を支柱１の補助柱保持部７０に保持させて完了する。
【００３９】
以上、本発明の実施形態について説明したが、本発明の適用は本実施形態には限られず、その技術的思想の範囲内において様々に適用されうるものである。
【図面の簡単な説明】
【００４０】
【図１】本実施形態における組立車庫の正面図である。
【図２】本実施形態における組立車庫の側面図である。
【図３】補助柱及びその近傍の正面図である。
【図４】補助柱及びその近傍の側面図である。
【図５】補助柱の下部取付時の状態を示した正面図である。
【図６】係止金具及び上部金具の正面図である。
【図７】収縮時における補助柱の正面図である。
【図８】内側柱の平面図である。
【図９】支柱の拡大側面図である。
【図１０】補助柱を支柱に取付けた状態を示す背面図である。
【符号の説明】
【００４１】
１    支柱
２    梁
３    屋根体
１０    補助柱
１１    外側柱
１２    内側柱
１３    係止金具
１３ａ  フック部
１３ｂ  当接面
１４    上部金具
１４ａ  固定部
１４ｂ  弾性部材
１４ｃ  保持部
１９    係止解除部
２０    被係止部
２１    梁取付部
２２    棒状部
６０    小口キャップ
７０    補助柱保持部
７１    突出部
【図１】
0004709658.tif 000002
【図２】
0004709658.tif 000003
【図３】
0004709658.tif 000004
【図４】
0004709658.tif 000005
【図５】
0004709658.tif 000006
【図６】
0004709658.tif 000007
【図７】
0004709658.tif 000008
【図８】
0004709658.tif 000009
【図９】
0004709658.tif 000010
【図１０】
0004709658.tif 000011